(57)【要約】【課題】  金融端末内部の被清掃対象物に付着した塵埃を効率良く除去することが可能な電気掃除機用ブロワノズルの提供。【解決手段】  電気掃除機のブロワノズル用アタッチメント１は、アタッチメント本体１０がノズル接続部１１とノズル部１２とよりなる。ブロワノズル３の先端部をアタッチメント本体１０の基端１０ａに形成したノズル接続口１３からノズル接続部１１の内部に差し込み、アタッチメント本体１０をブロワノズル３の先端部に取付ける。アタッチメント本体１０のノズル部１２がブロワノズル３の先端から噴出される１次圧縮した圧縮空気を絞って２次圧縮した圧縮空気とし、２次圧縮した圧縮空気がアタッチメント本体１０の先端１０ｂに形成した圧縮空気噴射口１４から噴射される。【選択図】        図１
2005278899.tif 000002
【特許請求の範囲】
【請求項１】
電気掃除機のブロワノズルの先端部に着脱自在に取付けられる電気掃除機のブロワノズル用アタッチメントであって、
前記ブロワノズル内部の排気通路と連通する中空体からなるアタッチメント本体を有し、前記アタッチメント本体は、前記ブロワノズルの先端部の外側に嵌合するための空気入口側の基端から空気出口側の先端の途中に向って縮径するテーパ管状のノズル接続部と、前記ノズル接続部の末端に先端に向って延出して一体に形成された前記電気掃除機の排気口から排出される排気を絞って圧縮するためのノズル部とよりなり、前記アタッチメント本体の基端に前記ブロワノズルの先端部を挿入するための開口する端面円形のノズル接続口を形成すると共に、前記アタッチメント本体の先端に前記排気を圧縮した圧縮空気を噴射するための開口する圧縮空気噴射口を形成したことを特徴とする電気掃除機のブロワノズル用アタッチメント。
【請求項２】
上記アタッチメント本体の材質は、ポリプロピレン等の熱可塑性樹脂である請求項１に記載の電気掃除機のブロワノズル用アタッチメント。
【請求項３】
上記アタッチメント本体の先端に形成された上記圧縮空気噴射口の形状は、上記ノズル接続口の口径よりも小さな口径の円形である請求項１に記載の電気掃除機のブロワノズル用アタッチメント。
【請求項４】
上記アタッチメント本体の先端に形成された上記圧縮空気噴射口の形状は、四角形である請求項１に記載の電気掃除機のブロワノズル用アタッチメント。
【請求項５】
上記アタッチメント本体の先端に形成された上記圧縮空気噴射口の形状は、矩形である請求項１に記載の電気掃除機のブロワノズル用アタッチメント。
【請求項６】
上記アタッチメント本体の先端に形成された上記圧縮空気噴射口の形状は、長円形である請求項１に記載の電気掃除機のブロワノズル用アタッチメント。
【発明の詳細な説明】
【技術分野】
【０００１】
本発明は、電気掃除機のブロワノズル用アタッチメントに関し、特に、金融端末の内部において発生した塵埃を除去するための圧縮空気を噴出する電気掃除機のブロワノズルの先端部に取付けられる電気掃除機のブロワノズル用アタッチメントに関するものである。
【背景技術】
【０００２】
銀行や郵便局などの金融機関には、現金を取り扱うＡＴＭ（Ａｕｔｏｍａｔｉｃ  Ｔｅｌｌｅｒ  Ｍａｃｈｉｎｅ；現金自動預入支払機），ＣＤ（Ｃａｓｈ  Ｄｉｓｐｅｎｓｅｒ；現金自動支払機），紙幣計数機，証券計数機，営業店端末などの各種の金融端末が設置されており、近年、特定のコンビニエンスストアにもＡＴＭが設置されるようになった。
金融端末の内部には、投光器と受光器とからなる多数の光センサや紙幣を搬送するための紙幣搬送装置，紙幣搬送路などが配設されている。
【０００３】
そして、紙幣は実際に流通している間に、紙幣の表面に塵埃が付着して汚れてくる。
【０００４】
金融端末の内部では、紙幣を高速でカウントするため、多量の塵埃が発生し、紙幣を紙幣搬送装置や紙幣搬送路で搬送する際に、紙幣の表面が紙幣搬送装置の搬送ベルト，搬送ローラや紙幣搬送路で強く擦られ、紙幣の表面に付着している塵埃が剥がれ落ちることにより、金融端末の内部において紙幣の表面から剥がれ落ちた塵埃が発生し、しかも、大気中に浮遊している塵埃が空気の流れや摩擦により発生する静電気などにより金融端末の内部に入り込んでしまうので、塵埃が時間の経過と共に金融端末の内部の被清掃対象物となる多数の光センサや紙幣搬送装置の搬送ベルト，搬送ローラや紙幣搬送路に付着し、塵埃が光センサの投光器や受光器の表面に多量に付着すると、光センサ自体の検出機能が低下してしまい、金融端末の動作に不都合を生じるおそれがある。
したがって、保守作業員が金融端末の内部において被清掃対象物に付着した塵埃を除去する清掃作業を定期的に行っている。
【０００５】
金融端末の内部において被清掃対象物に付着した塵埃の清掃は、保守作業員が一般に市販されているブロワ機能付きの電気掃除機を使用し、掃除機本体の排気を排出する排気口にホースの一端部を差し込んで接続した後、電気掃除機のホースの他端部に吸引／ブロワ両用のスポットノズルの基端部を差し込んで接続し、電気掃除機のホースの他端にスポットノズルを取付け、スポットノズルの先端の噴出口から噴出される圧縮空気により金融端末の内部に配設された多数の光センサの投光器や受光器の表面，紙幣搬送装置の搬送ベルト，搬送ローラ，紙幣搬送路などに付着した塵埃を吹き飛ばして除去を行っている。
【０００６】
従来、電動ブロワを内蔵した本体ケースと、電動ブロワの吸込側に接続された吸込みノズル及び電動ブロワの排気側に接続された排気穴と、本体ケースに設けられた携帯手段とを備え、電動ブロワの排気側に接続されたブロワノズルと、電動ブロワのブロワノズル及び排気穴に対する連通状態を切替える切替弁とを有する携帯型掃除機が特許文献１に開示されている。
【特許文献１】特開２０００−２４５６５９号公報
【発明の開示】
【発明が解決しようとする課題】
【０００７】
ところが、現状では、ブロワノズルとして電気掃除機の標準の付属品である吸引／ブロワ両用のスポットノズルを使用しており、スポットノズルの先端の噴出口の口径が大きいので、スポットノズルの噴出口から噴出される圧縮空気の噴出力が弱くなり、スポットノズルの噴出口から噴出される圧縮空気の噴出圧力が低いので、金融端末の内部に配設された多数の光センサの投光器や受光器の表面，紙幣搬送装置の搬送ベルト，搬送ローラ，紙幣搬送路などに付着した塵埃をスポットノズルの噴出口から噴出される圧縮空気により吹き飛ばして効率良く確実に除去することができず、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、スポットノズルの先端の噴出口を清掃しようとする被清掃対象物に近付けると、被清掃対象物の清掃箇所がスポットノズルの先端部で隠れてしまうので、被清掃対象物の清掃箇所が保守作業員の目から見え難く、スポットノズルの先端を被清掃対象物の清掃箇所に当ててしまい、被清掃対象物の清掃箇所をスポットノズルの先端で破損するおそれがあった。
【０００８】
また、特許文献１に開示された携帯型掃除機では、ブロワノズルの先端の圧縮空気噴出口の口径が大きいので、ブロワノズルの圧縮空気噴出口から噴出される圧縮空気の噴出力が弱くなり、ブロワノズルの圧縮空気噴出口から噴出される圧縮空気の噴出圧力が低いので、金融端末の内部に配設された多数の光センサの投光器や受光器の表面，紙幣搬送装置の搬送ベルト，搬送ローラ，紙幣搬送路などに付着した塵埃をブロワノズルの圧縮空気噴出口から噴出される圧縮空気により吹き飛ばして効率良く確実に除去することができず、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、被清掃対象物が様々な形状を成しているので、被清掃対象物の形状に応じたブロワノズルによる塵埃の除去を行うことができず、ブロワノズルの先端の圧縮空気噴出口を被清掃対象物に近付けると、被清掃対象物の清掃箇所がブロワノズルの先端部で隠れてしまうので、被清掃対象物の清掃箇所が保守作業員の目から見え難く、ブロワノズルの先端を被清掃対象物の清掃箇所に当ててしまい、被清掃対象物の清掃箇所をブロワノズルの先端で破損するおそれがあった。
【０００９】
そこで、本発明の目的は、上記の事情に鑑みてなされたものであって、ブロワノズルの先端部をアタッチメント本体の基端のノズル接続口からノズル接続部の内部に差し込むのみで、アタッチメント本体のノズル接続部がブロワノズルの先端部の外側に嵌合するので、アタッチメント本体をブロワノズルの先端部にワンタッチで簡単に取付けることができ、アタッチメント本体のノズル部がブロワノズルの先端の圧縮空気噴出口から噴出される１次圧縮した圧縮空気を絞って２次圧縮するので、アタッチメント本体の先端の圧縮空気噴射口から２次圧縮した圧縮空気を噴射することができ、アタッチメント本体の圧縮空気噴射口から噴射される圧縮空気の噴射力がより強くなり、アタッチメント本体の圧縮空気噴射口から噴射される圧縮空気の噴射圧力が高いので、金融端末の内部に配設された多数の光センサの投光器や受光器の表面，紙幣搬送装置の搬送ベルト，搬送ローラ，紙幣搬送路などに付着した塵埃をアタッチメント本体の圧縮空気噴射口から噴射される圧縮空気により吹き飛ばして効率良く確実に除去することができ、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、アタッチメント本体の先端の圧縮空気噴射口を被清掃対象物に近付けても、被清掃対象物の清掃箇所がアタッチメント本体の先端部で隠れてしまうこともなく、被清掃対象物の清掃箇所が保守作業員の目から見易く、被清掃対象物の清掃箇所のアタッチメント本体の先端による破損を防止することが可能な電気掃除機のブロワノズル用アタッチメントを提供することにある。
【課題を解決するための手段】
【００１０】
本発明の電気掃除機のブロワノズル用アタッチメントは、電気掃除機のブロワノズルの先端部に着脱自在に取付けられる電気掃除機のブロワノズル用アタッチメントであって、前記ブロワノズル内部の排気通路と連通する中空体からなるアタッチメント本体を有し、前記アタッチメント本体が、前記ブロワノズルの先端部の外側に嵌合するための空気入口側の基端から空気出口側の先端の途中に向って縮径するテーパ管状のノズル接続部と、前記ノズル接続部の末端に先端に向って延出して一体に形成された前記電気掃除機の排気口から排出される排気を絞って圧縮するためのノズル部とよりなり、前記アタッチメント本体の基端に前記ブロワノズルの先端部を挿入するための開口する端面円形のノズル接続口を形成すると共に、前記アタッチメント本体の先端に前記排気を圧縮した圧縮空気を噴射するための開口する圧縮空気噴射口を形成したことを特徴とする構成を有するものである。
【００１１】
上記に記載の本発明によれば、ブロワノズルの先端部をアタッチメント本体の基端に形成したノズル接続口からノズル接続部の内部に差し込んで接続すると、アタッチメント本体のノズル接続部がブロワノズルの先端部の外側に嵌合し、アタッチメント本体がブロワノズルの先端部に取付けられ、アタッチメント本体のノズル接続部の長さが長いので、アタッチメント本体がブロワノズルの先端部から抜け外れることもなく、アタッチメント本体のノズル部がブロワノズルの先端の圧縮空気噴出口から噴出される１次圧縮した圧縮空気を絞って２次圧縮するので、アタッチメント本体の先端の圧縮空気噴射口から２次圧縮した圧縮空気を噴射し、金融端末の内部に配設された多数の光センサの投光器や受光器の表面，紙幣搬送装置の搬送ベルト，搬送ローラ，紙幣搬送路などに付着した塵埃をアタッチメント本体の圧縮空気噴射口から噴射される２次圧縮した圧縮空気により吹き飛ばして除去できる。
【００１２】
本発明の電気掃除機のブロワノズル用アタッチメントは、上記アタッチメント本体の材質が、ポリプロピレン等の熱可塑性樹脂である。
【００１３】
上記に記載の本発明によれば、アタッチメント本体の材質がポリプロピレン等の熱可塑性樹脂であるので、アタッチメント本体が耐衝撃性に優れ、アタッチメント本体の製造コストが安価で、被清掃対象物を損傷し難く、アタッチメント本体を再資源としてリサイクルすることもできる。
【００１４】
本発明の電気掃除機のブロワノズル用アタッチメントは、上記アタッチメント本体の先端に形成された上記圧縮空気噴射口の形状が、上記ノズル接続口の口径よりも小さな口径の円形である。
【００１５】
上記に記載の本発明によれば、アタッチメント本体の先端に形成された圧縮空気噴射口の形状がノズル接続口の口径よりも小さな口径の円形であるので、円形でない場合に比べて最も効率良く断面を空気が流れるため、金融端末の内部に配設された多数の光センサの投光器や受光器などの丸形の被清掃対象物の表面に付着した塵埃をアタッチメント本体の先端の圧縮空気噴射口から噴射する圧縮空気により効率良く吹き飛ばして除去できる。
【００１６】
本発明の電気掃除機のブロワノズル用アタッチメントは、上記アタッチメント本体の先端に形成された上記圧縮空気噴射口の形状が、四角形である。
【００１７】
上記に記載の本発明によれば、アタッチメント本体の先端に形成された圧縮空気噴射口の形状が四角形であるので、金融端末の内部に配設された多角形状の被清掃対象物の表面に付着した塵埃をアタッチメント本体の先端の圧縮空気噴射口から噴射する圧縮空気により効率良く吹き飛ばして除去できる。
【００１８】
本発明の電気掃除機のブロワノズル用アタッチメントは、上記アタッチメント本体の先端に形成された上記圧縮空気噴射口の形状が、矩形である。
【００１９】
上記に記載の本発明によれば、アタッチメント本体の先端に形成された圧縮空気噴射口の形状が矩形であるので、金融端末の内部に配設された紙幣搬送装置の搬送ベルトなどの平面状の被清掃対象物の表面に付着した塵埃をアタッチメント本体の先端の圧縮空気噴射口から噴射する圧縮空気により効率良く吹き飛ばして除去できる。
【００２０】
本発明の電気掃除機のブロワノズル用アタッチメントは、上記アタッチメント本体の先端に形成された上記圧縮空気噴射口の形状が、長円形である。
【００２１】
上記に記載の本発明によれば、アタッチメント本体の先端に形成された圧縮空気噴射口の形状が長円形であるので、金融端末の内部に配設された被清掃対象物の略水平な清掃箇所の表面に付着した塵埃をアタッチメント本体の先端の圧縮空気噴射口から噴射する圧縮空気により効率良く吹き飛ばして除去できる。
【発明の効果】
【００２２】
以上に述べたように、本発明によれば、ブロワノズルの先端部をアタッチメント本体の基端のノズル接続口からノズル接続部の内部に差し込むのみで、アタッチメント本体のノズル接続部がブロワノズルの先端部の外側に嵌合するので、アタッチメント本体をブロワノズルの先端部にワンタッチで簡単に取付けることができ、アタッチメント本体のノズル部がブロワノズルの先端の圧縮空気噴出口から噴出される１次圧縮した圧縮空気を絞って２次圧縮するので、アタッチメント本体の先端の圧縮空気噴射口から２次圧縮した圧縮空気を噴射することができ、アタッチメント本体の圧縮空気噴射口から噴射される圧縮空気の噴射力がより強くなり、アタッチメント本体の圧縮空気噴射口から噴射される圧縮空気の噴射圧力が高いので、金融端末の内部に配設された多数の光センサの投光器や受光器の表面，紙幣搬送装置の搬送ベルト，搬送ローラ，紙幣搬送路などに付着した塵埃をアタッチメント本体の圧縮空気噴射口から噴射される圧縮空気により吹き飛ばして効率良く確実に除去することができ、しかも、保守作業員が金融端末の内部の被清掃対象物となる多数の光センサの投光器や受光器の表面，紙幣搬送装置の搬送ベルト，搬送ローラ，紙幣搬送路などに付着した塵埃を除去する際に、アタッチメント本体の先端の圧縮空気噴射口を被清掃対象物に近付けても、被清掃対象物の清掃箇所がアタッチメント本体の先端部で隠れてしまうこともなく、被清掃対象物の清掃箇所が保守作業員の目から見易く、被清掃対象物の清掃箇所のアタッチメント本体の先端による破損を防止することが可能な電気掃除機のブロワノズル用アタッチメントを得ることができる。
【発明を実施するための最良の形態】
【００２３】
以下、本発明を実施するための最良の形態を図面を参照して詳細に説明する。
【実施例】
【００２４】
本発明の電気掃除機のブロワノズル用アタッチメント１は、電気掃除機２のブロワノズル３の先端部に着脱自在に取付けられるものである。
【００２５】
本発明の電気掃除機のブロワノズル用アタッチメント１は、ブロワノズル３の内部の排気通路３５と連通する中空体からなるアタッチメント本体１０を有している。
【００２６】
本発明の電気掃除機のブロワノズル用アタッチメント１は、アタッチメント本体１０が、ブロワノズル３の先端部の外側に嵌合するための空気入口側の基端１０ａから空気出口側の先端１０ｂの途中に向って縮径するテーパ管状のノズル接続部１１と、ノズル接続部１１の末端に先端１０ｂに向って延出して一体に形成された電気掃除機２の排気口（図示せず）から排出される排気を絞って圧縮するためのノズル部１２とよりなる。
【００２７】
本発明の電気掃除機のブロワノズル用アタッチメント１は、アタッチメント本体１０の基端１０ａにブロワノズル３の先端部を挿入するための開口する端面円形のノズル接続口１３を形成すると共に、アタッチメント本体１０の先端１０ｂに排気を圧縮した圧縮空気を噴射するための開口する圧縮空気噴射口１４を形成してある。
【００２８】
本発明の電気掃除機のブロワノズル用アタッチメント１は、アタッチメント本体１０の材質が、ポリプロピレン等の熱可塑性樹脂である。
【００２９】
本発明の電気掃除機のブロワノズル用アタッチメント１は、アタッチメント本体１０の先端１０ｂに形成された圧縮空気噴射口１４の形状が、ノズル接続口１３の口径よりも小さな口径の円形である。
【００３０】
図１は、本発明に係る第１実施例の電気掃除機のブロワノズル用アタッチメントを示す正断面図、図２は、図１の左側面図、図３は、図１の右側面図、図４は、本発明に係る第１実施例の電気掃除機のブロワノズル用アタッチメントを取付けるブロワノズルを示す正断面図、図５は、図４の左側面図、図６は、図４の右側面図、図７は、本発明に係る第１実施例の電気掃除機のブロワノズル用アタッチメントのブロワノズルへの取付け状態を示す正面図、図８は、本発明に係る第１実施例の電気掃除機のブロワノズル用アタッチメントのブロワノズルの先端部への接続状態を示す要部拡大断面図、図９は、本発明に係る第１実施例の電気掃除機のブロワノズル用アタッチメントの使用状態を示す概略斜視図である。
ブロワノズル用アタッチメント１は、図１に示すように、アタッチメント本体１０を有し、アタッチメント本体１０の基端１０ａには、図２に示すように、図４に示す電気掃除機２の付属品であるブロワノズル３の先端部を差し込んで接続するための一側方に向って開口する端面円形のノズル接続口１３が形成されると共に、アタッチメント本体１０の先端１０ｂには、図３に示すように、ノズル接続部１１の中心軸線Ｃ１上に臨んで電気掃除機２の掃除機本体２０の排気口から排出される排気を圧縮した圧縮空気を噴射するための他側方に向って開口する端面円形の圧縮空気噴射口１４が形成されている。
【００３１】
ブロワノズル用アタッチメント１のアタッチメント本体１０は、図１に示すように、中心軸線Ｃ１方向に基端１０ａから先端１０ｂの途中に向って縮径するテーパ管状のノズル接続部１１を有し、アタッチメント本体１０のノズル接続部１１の末端には、ノズル接続部１１の中心軸線Ｃ１方向に先端１０ｂに向って大きく縮径するテーパ管状のノズル部１２が連続して一体に形成され、アタッチメント本体１０のノズル部１２のテーパ角度は、ノズル接続部１１のテーパ角度よりも大きくなっている。
【００３２】
ブロワノズル用アタッチメント１のアタッチメント本体１０の先端１０ｂは、ノズル接続部１１の中心軸線Ｃ１に対して直交するように形成されている。
【００３３】
ブロワノズル用アタッチメント１のアタッチメント本体１０の基端１０ａに形成されたノズル接続口１３の口径（内径）は、アタッチメント本体１０のノズル接続部１１とノズル部１２との境界部分の内径よりも大きくなっている。
【００３４】
そして、図１に示すブロワノズル用アタッチメント１のアタッチメント本体１０の先端１０ｂに形成した円形の圧縮空気噴射口１４は、金融端末５の内部に配設された光センサの投光器や受光器などの丸形の被清掃対象物に対応するようになっている。
【００３５】
電気掃除機２の付属品であるブロワノズル３は、図４に示すように、ブロワノズル本体３０を有し、ブロワノズル本体３０の内部には排気通路３５が形成されている。
【００３６】
ブロワノズル３のブロワノズル本体３０は、図４に示すように、中心軸線Ｃ２方向に空気入口側の基端３０ａから空気出口側の先端３０ｂの途中に向って僅かに縮径するテーパ管状の直管部３１と、直管部３１の末端に片側に傾斜して一体に形成され、直管部３１の中心軸線Ｃ２に対して鋭角な角度で交差する中心軸線Ｃ３方向に基端３０ａ寄りから先端３０ｂに向って大きく縮径するテーパ管状部３２とよりなる。
【００３７】
ブロワノズル３のブロワノズル本体３０の先端３０ｂは、テーパ管状部３２の中心軸線Ｃ３に対して直交するように形成されている。
【００３８】
ブロワノズル３のブロワノズル本体３０の空気入口側の基端３０ａには、図４及び図５に示すように、図７に示す電気掃除機２のホース４の端部に装着したスポットノズル６の先端部を差し込んで接続するための一側方に向って開口する端面円形のスポットノズル接続口３３が形成されると共に、ブロワノズル本体３０の空気出口側の先端３０ｂには、図６に示すように、電気掃除機２の掃除機本体２０の排気口（図示せず）から排出される排気を圧縮した圧縮空気を噴出するための他側方に向って開口する端面円形の圧縮空気噴出口３４が形成されている。
【００３９】
ブロワノズル３のブロワノズル本体３０の基端３０ａに形成されたスポットノズル接続口３３の口径（内径）は、ブロワノズル本体３０の直管部３１とテーパ管状部３２との境界部分の内径よりも僅かに大きくなっている。
【００４０】
ブロワノズル３のブロワノズル本体３０の直管部３１の中心軸線Ｃ２とテーパ管状部３２の中心軸線Ｃ３との交差する交差角度θは、９°となっており、特に、５°〜２０°の範囲内であることが好ましい。
【００４１】
ブロワノズル３のブロワノズル本体３０の材質は、ポリプロピレン等の熱可塑性樹脂である。
【００４２】
ブロワノズル用アタッチメント１のブロワノズル３の先端部への取付けは、まず、図７に示すように、ブロワ機能付きの電気掃除機２の掃除機本体２０の排気口（図示せず）にホース４の一端部４ａを差し込んで接続する。
次いで、電気掃除機２のホース４の他端部４ｂにスポットノズル６の基端部６ａを接続し、電気掃除機２のホース４の他端にスポットノズル６を取付ける。
【００４３】
次いで、スポットノズル６のテーパ管状の先端部６ｂをブロワノズル３のブロワノズル本体３０の基端３０ａに形成したスポットノズル接続口３３から直管部３１の内部に差し込むことにより、図８に示すように、ブロワノズル３のブロワノズル本体３０の直管部３１がスポットノズル６の先端部６ｂの外側に嵌合され、ブロワノズル３のブロワノズル本体３０の直管部３１の内周面３６とスポットノズル６の先端部６ｂの外周面６０とが互いに密接し、ブロワノズル３のブロワノズル本体３０の先端３０ｂに形成した圧縮空気噴出口３４がスポットノズル６及びホース４を介して電気掃除機２の掃除機本体２０の排気口と連通し、図７に示すように、ブロワノズル３のブロワノズル本体３０はスポットノズル６を介して電気掃除機２のホース４の他端に取付けられる。
【００４４】
その後、ブロワノズル３のブロワノズル本体３０の先端部をブロワノズル用アタッチメント１のアタッチメント本体１０の基端１０ａに形成したノズル接続口１３からノズル接続部１１の内部に差し込むことにより、図８に示すように、ブロワノズル用アタッチメント１のアタッチメント本体１０のノズル接続部１１がブロワノズル３のブロワノズル本体３０のテーパ管状部３２の先端部の外側に嵌合され、ブロワノズル用アタッチメント１のアタッチメント本体１０のノズル接続部１１の内周面１５とブロワノズル３のブロワノズル本体３０のテーパ管状部３２の先端部の外周面３７とが互いに密接し、ブロワノズル用アタッチメント１のアタッチメント本体１０の先端１０ｂに形成した圧縮空気噴射口１４がブロワノズル３のブロワノズル本体３０の先端３０ｂに形成した圧縮空気噴出口３４を介してブロワノズル本体３０の内部の排気通路３５と連通し、図７に示すように、ブロワノズル用アタッチメント１のアタッチメント本体１０は、ブロワノズル３のブロワノズル本体３０のテーパ管状部３２の先端部に取付けられる。
【００４５】
次に、本発明に係る第１実施例の電気掃除機のブロワノズル用アタッチメントの使用方法を説明する。
金融端末５の内部において被清掃対象物に付着した塵埃を電気掃除機２のブロワノズル用アタッチメント１により除去する場合は、まず始めに、電気掃除機２の掃除機本体２０のスイッチ（図示せず）をＯＮにし、電気掃除機２を動作させると、電気掃除機２の掃除機本体２０の排気口から排気が排出され、電気掃除機２の掃除機本体２０の排気口から排出された排気はホース４及びスポットノズル６の内部を通ってブロワノズル３のブロワノズル本体３０のテーパ管状部３２に流れ込み、ブロワノズル３のブロワノズル本体３０のテーパ管状部３２が電気掃除機２の掃除機本体２０の排気口から排出される排気を絞って１次圧縮した圧縮空気とし、ブロワノズル３のブロワノズル本体３０の先端３０ｂに形成した圧縮空気噴出口３４からブロワノズル用アタッチメント１のアタッチメント本体１０のノズル部１２の内部に向って１次圧縮した圧縮空気を噴出する。
【００４６】
さらに、ブロワノズル３のブロワノズル本体３０の先端３０ｂに形成した圧縮空気噴出口３４から噴出された圧縮空気は、ブロワノズル用アタッチメント１のアタッチメント本体１０のノズル部１２に流れ込み、ブロワノズル用アタッチメント１のアタッチメント本体１０のノズル部１２がブロワノズル３のブロワノズル本体３０の先端３０ｂの圧縮空気噴出口３４から噴出される１次圧縮した圧縮空気を絞って２次圧縮した圧縮空気とし、ブロワノズル用アタッチメント１のアタッチメント本体１０の先端１０ｂに形成した圧縮空気噴射口１４から２次圧縮した圧縮空気を噴射する。
【００４７】
保守作業員Ｐは、電気掃除機２のホース４の他端部４ｂを手で掴み、図９に示すように、ブロワノズル用アタッチメント１のアタッチメント本体１０の先端１０ｂを金融端末５の内部の清掃しようとする被清掃対象物の清掃箇所に近付けることにより、金融端末５の内部に配設された被清掃対象物となる多数の光センサの投光器や受光器の表面，紙幣搬送装置の搬送ベルト，搬送ローラ，紙幣搬送路などに付着した塵埃をブロワノズル用アタッチメント１のアタッチメント本体１０の先端１０ｂの圧縮空気噴射口１４から噴射する２次圧縮した圧縮空気により吹き飛ばして除去する。
【００４８】
さらに、金融端末５の内部に配設された被清掃対象物となる多数の光センサの投光器や受光器の表面，紙幣搬送装置の搬送ベルト，搬送ローラ，紙幣搬送路などに付着した塵埃の電気掃除機２のブロワノズル用アタッチメント１による除去が完了した後、電気掃除機２の掃除機本体２０の吸気口（図示せず）にホース４の一端部４ａを差し込んで接続すると共に、電気掃除機２のホース４の他端部４ｂに吸口体（図示せず）の基端部を差し込んで接続し、電気掃除機２のホース４の端部に吸口体を取付け、金融端末５の内部の塵埃を電気掃除機２の吸引機能を利用して空気と共に掃除機本体２０の内部の集塵室に吸込み、金融端末５の内部の塵埃の電気掃除機２による通常の清掃作業が行われる。
【００４９】
図１０は、本発明に係る第２実施例の電気掃除機のブロワノズル用アタッチメントを示す正断面図、図１１は、図１０の左側面図、図１２は、図１０の右側面図、図１３は、本発明に係る第２実施例の電気掃除機のブロワノズル用アタッチメントのブロワノズルの先端部への接続状態を示す要部拡大断面図である。
本発明の電気掃除機のブロワノズル用アタッチメント１は、アタッチメント本体１０の先端１０ｂに形成された圧縮空気噴射口１４Ａの形状が、四角形である。
【００５０】
ブロワノズル用アタッチメント１は、図１０に示すように、ブロワノズル３の内部の排気通路３５と連通する中空体からなるアタッチメント本体１０を有し、アタッチメント本体１０は、ブロワノズル３の先端部の外側に嵌合するための空気入口側の基端１０ａから空気出口側の先端１０ｂの途中に向って縮径するテーパ管状のノズル接続部１１Ａと、ノズル接続部１１Ａの末端に先端１０ｂに向って延出して一体に形成された電気掃除機２の排気口から排出される排気を絞って圧縮するためのノズル部１２Ａとよりなる。
【００５１】
ブロワノズル用アタッチメント１のアタッチメント本体１０の基端１０ａには、図１０及び図１１に示すように、ブロワノズル３の先端部を差し込んで接続するための一側方に向って開口する端面円形のノズル接続口１３Ａが形成されると共に、アタッチメント本体１０の先端１０ｂを閉塞する端壁１６には、図１２に示すように、ノズル接続部１１Ａの中心軸線Ｃ１上に臨んで電気掃除機２の掃除機本体２０の排気口から排出される排気を圧縮した圧縮空気を噴射するための他側方に向って開口する四角形の圧縮空気噴射口１４Ａが形成されている。
【００５２】
ブロワノズル用アタッチメント１のアタッチメント本体１０は、図１０に示すように、中心軸線Ｃ１方向に基端１０ａから先端１０ｂの途中に向って縮径するテーパ管状のノズル接続部１１Ａを有し、アタッチメント本体１０のノズル接続部１１Ａの末端にはノズル接続部１１Ａの中心軸線Ｃ１方向に先端１０ｂに向って縮径するテーパ管状のノズル部１２Ａが連続して一体に形成され、アタッチメント本体１０のノズル部１２Ａのテーパ角度は、ノズル接続部１１Ａのテーパ角度と等しくなっている。
【００５３】
ブロワノズル用アタッチメント１のアタッチメント本体１０の先端１０ｂは、ノズル接続部１１Ａの中心軸線Ｃ１に対して直交するように形成されている。
【００５４】
そして、図１０に示すブロワノズル用アタッチメント１のアタッチメント本体１０の先端１０ｂに形成した四角形の圧縮空気噴射口１４Ａは、金融端末５の内部に配設された多角形状の被清掃対象物に対応するようになっている。
【００５５】
ブロワノズル用アタッチメント１のブロワノズル３のブロワノズル本体３０の先端部への接続は、ブロワノズル３のブロワノズル本体３０の先端部をブロワノズル用アタッチメント１のアタッチメント本体１０の基端１０ａに形成したノズル接続口１３Ａからノズル接続部１１Ａの内部に差し込むことにより、ブロワノズル用アタッチメント１のアタッチメント本体１０のノズル接続部１１Ａがブロワノズル３のブロワノズル本体３０のテーパ管状部３２の先端部の外側に嵌合され、ブロワノズル用アタッチメント１のアタッチメント本体１０のノズル接続部１１Ａの内周面１５Ａとブロワノズル３のブロワノズル本体３０のテーパ管状部３２の先端部の外周面３７とが互いに密接し、ブロワノズル用アタッチメント１のアタッチメント本体１０の先端１０ｂに形成した圧縮空気噴射口１４Ａがブロワノズル３のブロワノズル本体３０の先端３０ｂに形成した圧縮空気噴出口３４を介してブロワノズル本体３０の内部の排気通路３５と連通し、図１３に示すように、ブロワノズル用アタッチメント１のアタッチメント本体１０は、ブロワノズル３のブロワノズル本体３０のテーパ管状部３２の先端部に取付けられる。
【００５６】
本発明に係る第２実施例の電気掃除機のブロワノズル用アタッチメントの使用方法は、図１に示す本発明の第１実施例の電気掃除機のブロワノズル用アタッチメントと全く同様のため、説明を省略する。
【００５７】
図１４は、本発明に係る第３実施例の電気掃除機のブロワノズル用アタッチメントを示す正断面図、図１５は、図１４の左側面図、図１６は、図１４の右側面図、図１７は、本発明に係る第３実施例の電気掃除機のブロワノズル用アタッチメントのブロワノズルの先端部への接続状態を示す要部拡大断面図である。
本発明の電気掃除機のブロワノズル用アタッチメント１は、アタッチメント本体１０の先端１０ｂに形成された圧縮空気噴射口１４Ｂの形状が、ノズル接続部１１Ｂの中心軸線Ｃ１に対して直交する水平な横向きの矩形である。
【００５８】
ブロワノズル用アタッチメント１は、図１４に示すように、ブロワノズル３の内部の排気通路３５と連通する中空体からなるアタッチメント本体１０を有し、アタッチメント本体１０は、ブロワノズル３の先端部の外側に嵌合するための空気入口側の基端１０ａから空気出口側の先端１０ｂの途中に向って縮径するテーパ管状のノズル接続部１１Ｂと、ノズル接続部１１Ｂの末端に先端１０ｂに向って延出して一体に形成された電気掃除機２の排気口から排出される排気を絞って圧縮するためのノズル部１２Ｂとよりなる。
【００５９】
ブロワノズル用アタッチメント１のアタッチメント本体１０の基端１０ａには、図１４及び図１５に示すように、ブロワノズル３の先端部を差し込んで接続するための一側方に向って開口する端面円形のノズル接続口１３Ｂが形成されると共に、アタッチメント本体１０の先端１０ｂには、図１６に示すように、ノズル接続部１１Ｂの中心軸線Ｃ１上に臨んで電気掃除機２の掃除機本体２０の排気口から排出される排気を圧縮した圧縮空気を噴射するための他側方に向って開口する横向きの矩形（長方形）の圧縮空気噴射口１４Ｂが形成されている。
【００６０】
ブロワノズル用アタッチメント１のアタッチメント本体１０は、図１４に示すように、中心軸線Ｃ１方向に基端１０ａから先端１０ｂの途中に向って縮径するテーパ管状のノズル接続部１１Ｂを有し、アタッチメント本体１０のノズル接続部１１Ｂの末端にはノズル接続部１１Ｂの中心軸線Ｃ１方向に先端１０ｂに向って縮径する中空テーパ部１７を介して矩形筒状のノズル部１２Ｂが連続して一体に形成され、アタッチメント本体１０のノズル部１２Ｂは、左右方向の幅が広く、上下方向の高さが左右方向の幅よりも小さくなっている。
【００６１】
ブロワノズル用アタッチメント１のアタッチメント本体１０の先端１０ｂは、ノズル接続部１１Ｂの中心軸線Ｃ１に対して直交するように形成されている。
【００６２】
そして、図１に示すブロワノズル用アタッチメント１のアタッチメント本体１０の先端１０ｂに形成した矩形の圧縮空気噴射口１４Ｂは、金融端末５の内部に配設された紙幣搬送装置の搬送ベルトなどの平面状の被清掃対象物に対応するようになっている。
【００６３】
ブロワノズル用アタッチメント１のブロワノズル３のブロワノズル本体３０の先端部への接続は、ブロワノズル３のブロワノズル本体３０の先端部をブロワノズル用アタッチメント１のアタッチメント本体１０の基端１０ａに形成したノズル接続口１３Ｂからノズル接続部１１Ｂの内部に差し込むことにより、ブロワノズル用アタッチメント１のアタッチメント本体１０のノズル接続部１１Ｂがブロワノズル３のブロワノズル本体３０のテーパ管状部３２の先端部の外側に嵌合され、ブロワノズル用アタッチメント１のアタッチメント本体１０のノズル接続部１１Ｂの内周面１５Ｂとブロワノズル３のブロワノズル本体３０のテーパ管状部３２の先端部の外周面３７とが互いに密接し、ブロワノズル用アタッチメント１のアタッチメント本体１０の先端１０ｂに形成した圧縮空気噴射口１４Ｂがブロワノズル３のブロワノズル本体３０の先端３０ｂに形成した圧縮空気噴出口３４を介してブロワノズル本体３０の内部の排気通路３５と連通し、図１７に示すように、ブロワノズル用アタッチメント１のアタッチメント本体１０は、ブロワノズル３のブロワノズル本体３０のテーパ管状部３２の先端部に取付けられる。
【００６４】
本発明に係る第３実施例の電気掃除機のブロワノズル用アタッチメントの使用方法は、図１に示す本発明の第１実施例の電気掃除機のブロワノズル用アタッチメントと全く同様のため、説明を省略する。
【００６５】
図１８は、本発明に係る第４実施例の電気掃除機のブロワノズル用アタッチメントを示す正断面図、図１９は、図１８の左側面図、図２０は、図１８の右側面図、図２１は、本発明に係る第４実施例の電気掃除機のブロワノズル用アタッチメントのブロワノズルの先端部への接続状態を示す要部拡大断面図である。
本発明の電気掃除機のブロワノズル用アタッチメント１は、アタッチメント本体１０の先端１０ｂに形成された圧縮空気噴射口１４Ｃの形状が、長円形である。
【００６６】
ブロワノズル用アタッチメント１は、図１８に示すように、ブロワノズル３の内部の排気通路３５と連通する中空体からなるアタッチメント本体１０を有し、アタッチメント本体１０は、ブロワノズル３の先端部の外側に嵌合するための空気入口側の基端１０ａから空気出口側の先端１０ｂの途中に向って縮径するテーパ管状のノズル接続部１１Ｃと、ノズル接続部１１の末端に先端１０ｂに向って延出して一体に形成された電気掃除機２の排気口から排出される排気を絞って圧縮するためのノズル部１２Ｃとよりなる。
【００６７】
ブロワノズル用アタッチメント１のアタッチメント本体１０の基端１０ａには、図１８及び図１９に示すように、ブロワノズル３の先端部を差し込んで接続するための一側方に向って開口する端面円形のノズル接続口１３Ｃが形成されると共に、アタッチメント本体１０の先端１０ｂには、図２０に示すように、ノズル接続部１１Ｃの中心軸線Ｃ１上に臨んで電気掃除機２の掃除機本体２０の排気口から排出される排気を圧縮した圧縮空気を噴射するための斜め下方に向って開口する端面長円形の圧縮空気噴射口１４Ｃが形成されている。
【００６８】
ブロワノズル用アタッチメント１のアタッチメント本体１０は、図１４に示すように、中心軸線Ｃ１方向に基端１０ａから先端１０ｂの途中に向って縮径するテーパ管状のノズル接続部１１Ｃを有し、アタッチメント本体１０のノズル接続部１１Ｃの末端にはノズル接続部１１Ｃの中心軸線Ｃ１方向に先端１０ｂに向って縮径するテーパ管状のノズル部１２Ｃが連続して一体に形成され、アタッチメント本体１０のノズル部１２Ｃのテーパ角度は、ノズル接続部１１Ｃのテーパ角度と等しくなっている。
【００６９】
ブロワノズル用アタッチメント１のアタッチメント本体１０の先端１０ｂは、ノズル接続部１１Ｃの中心軸線Ｃ１に対して所定の角度で斜めに交差するように形成されている。
【００７０】
そして、図１に示すブロワノズル用アタッチメント１のアタッチメント本体１０の先端１０ｂに形成した長円形の圧縮空気噴射口１４Ｃは、金融端末５の内部に配設された被清掃対象物の略水平な清掃箇所に対応するようになっている。
【００７１】
ブロワノズル用アタッチメント１のブロワノズル３のブロワノズル本体３０の先端部への接続は、ブロワノズル３のブロワノズル本体３０の先端部をブロワノズル用アタッチメント１のアタッチメント本体１０の基端１０ａに形成したノズル接続口１３Ｃからノズル接続部１１Ｃの内部に差し込むことにより、ブロワノズル用アタッチメント１のアタッチメント本体１０のノズル接続部１１Ｃがブロワノズル３のブロワノズル本体３０のテーパ管状部３２の先端部の外側に嵌合され、ブロワノズル用アタッチメント１のアタッチメント本体１０のノズル接続部１１Ｃの内周面１５Ｃとブロワノズル３のブロワノズル本体３０のテーパ管状部３２の先端部の外周面３７とが互いに密接し、ブロワノズル用アタッチメント１のアタッチメント本体１０の先端１０ｂに形成した圧縮空気噴射口１４Ｃがブロワノズル３のブロワノズル本体３０の先端３０ｂに形成した圧縮空気噴出口３４を介してブロワノズル本体３０の内部の排気通路３５と連通し、図２１に示すように、ブロワノズル用アタッチメント１のアタッチメント本体１０は、ブロワノズル３のブロワノズル本体３０のテーパ管状部３２の先端部に取付けられる。
【００７２】
本発明に係る第４実施例の電気掃除機のブロワノズル用アタッチメントの使用方法は、図１に示す本発明の第１実施例の電気掃除機のブロワノズル用アタッチメントと全く同様のため、説明を省略する。
【００７３】
図２２は、本発明に係る第５実施例の電気掃除機のブロワノズル用アタッチメントを示す正断面図、図２３は、図２２の左側面図、図２４は、図２２の右側面図、図２５は、本発明に係る第５実施例の電気掃除機のブロワノズル用アタッチメントのブロワノズルの先端部への接続状態を示す要部拡大断面図である。
本発明の電気掃除機のブロワノズル用アタッチメント１は、アタッチメント本体１０の先端１０ｂに形成された圧縮空気噴射口１４Ｄの形状が、ノズル接続部１１Ｄの中心軸線Ｃ１に対して直交する鉛直な縦向きの矩形である。
【００７４】
ブロワノズル用アタッチメント１は、図２２に示すように、ブロワノズル３の内部の排気通路３５と連通する中空体からなるアタッチメント本体１０を有し、アタッチメント本体１０は、ブロワノズル３の先端部の外側に嵌合するための空気入口側の基端１０ａから空気出口側の先端１０ｂの途中に向って縮径するテーパ管状のノズル接続部１１Ｄと、ノズル接続部１１Ｄの末端に先端１０ｂに向って延出して一体に形成された電気掃除機２の排気口から排出される排気を絞って圧縮するためのノズル部１２Ｄとよりなる。
【００７５】
ブロワノズル用アタッチメント１のアタッチメント本体１０の基端１０ａには、図２２及び図２３に示すように、ブロワノズル３の先端部を差し込んで接続するための一側方に向って開口する端面円形のノズル接続口１３Ｄが形成されると共に、アタッチメント本体１０の先端１０ｂには、図２４に示すように、ノズル接続部１１Ｄの中心軸線Ｃ１上に臨んで電気掃除機２の掃除機本体２０の排気口から排出される排気を圧縮した圧縮空気を噴射するための斜め下方に向って開口する縦向きの矩形（長方形）の圧縮空気噴射口１４Ｄが形成されている。
【００７６】
ブロワノズル用アタッチメント１のアタッチメント本体１０は、図２２に示すように、中心軸線Ｃ１方向に基端１０ａから先端１０ｂの途中に向って縮径するテーパ管状のノズル接続部１１Ｄを有し、アタッチメント本体１０のノズル接続部１１Ｄの末端にはノズル接続部１１Ｄの中心軸線Ｃ１方向に先端１０ｂに向って縮径する中空テーパ部１８を介して矩形筒状のノズル部１２Ｄが連続して一体に形成され、アタッチメント本体１０のノズル部１２Ｄは、左右方向の幅が狭く、上下方向の高さが左右方向の幅よりも大きくなっている。
【００７７】
ブロワノズル用アタッチメント１のアタッチメント本体１０の先端１０ｂは、ノズル接続部１１Ｄの中心軸線Ｃ１に対して所定の角度で斜めに交差するように形成されている。
【００７８】
そして、図２２に示すブロワノズル用アタッチメントのノズル本体１の先端１ｂに形成した矩形の圧縮空気噴射口１８Ｄは、金融端末５の内部に配設された被清掃対象物の隙間などの清掃箇所に対応するようになっている。
【００７９】
ブロワノズル用アタッチメント１のブロワノズル３のブロワノズル本体３０の先端部への接続は、ブロワノズル３のブロワノズル本体３０の先端部をブロワノズル用アタッチメント１のアタッチメント本体１０の基端１０ａに形成したノズル接続口１３Ｄからノズル接続部１１Ｄの内部に差し込むことにより、ブロワノズル用アタッチメント１のアタッチメント本体１０のノズル接続部１１Ｄがブロワノズル３のブロワノズル本体３０のテーパ管状部３２の先端部の外側に嵌合され、ブロワノズル用アタッチメント１のアタッチメント本体１０のノズル接続部１１Ｄの内周面１５Ｄとブロワノズル３のブロワノズル本体３０のテーパ管状部３２の先端部の外周面３７とが互いに密接し、ブロワノズル用アタッチメント１のアタッチメント本体１０の先端１０ｂに形成した圧縮空気噴射口１４Ｄがブロワノズル３のブロワノズル本体３０の先端３０ｂに形成した圧縮空気噴出口３４を介してブロワノズル本体３０の内部の排気通路３５と連通し、図２５に示すように、ブロワノズル用アタッチメント１のアタッチメント本体１０は、ブロワノズル３のブロワノズル本体３０のテーパ管状部３２の先端部に取付けられる。
【００８０】
本発明に係る第５実施例の電気掃除機のブロワノズル用アタッチメントの使用方法は、図１に示す本発明の第１実施例の電気掃除機のブロワノズル用アタッチメントと全く同様のため、説明を省略する。
【００８１】
図２６は、本発明に係る第６実施例の電気掃除機のブロワノズル用アタッチメントを示す正断面図、図２７は、図２６の左側面図、図２８は、図２６の右側面図、図２９は、本発明に係る第６実施例の電気掃除機のブロワノズル用アタッチメントのブロワノズルの先端部への接続状態を示す要部拡大断面図である。
本発明の電気掃除機のブロワノズル用アタッチメント１は、アタッチメント本体１０の先端１０ｂに形成された圧縮空気噴射口１４Ｅの形状が、ノズル接続口１３Ｅの口径よりもはるかに微小な円形である。
【００８２】
ブロワノズル用アタッチメント１は、図２６に示すように、ブロワノズル３の内部の排気通路３５と連通する中空体からなるアタッチメント本体１０を有し、アタッチメント本体１０は、ブロワノズル３の先端部の外側に嵌合するための空気入口側の基端１０ａから空気出口側の先端１０ｂの途中に向って縮径するテーパ管状のノズル接続部１１Ｅと、ノズル接続部１１Ｅの末端に先端１０ｂに向って延出して一体に形成された電気掃除機２の排気口から排出される排気を絞って圧縮するためのノズル部１２Ｅとよりなる。
【００８３】
ブロワノズル用アタッチメント１のアタッチメント本体１０の基端１０ａには、図２６及び図２７に示すように、ブロワノズル３の先端部を差し込んで接続するための一側方に向って開口する端面円形のノズル接続口１３Ｅが形成されると共に、アタッチメント本体１０の先端１０ｂには、図２８に示すように、ノズル接続部１１Ｅの中心軸線Ｃ１上に臨んで電気掃除機２の掃除機本体２０の排気口から排出される排気を圧縮した圧縮空気を噴射するための他側方に向って開口する微小な端面円形の圧縮空気噴射口１４Ｅが形成されている。
【００８４】
ブロワノズル用アタッチメント１のアタッチメント本体１０は、図２６に示すように、中心軸線Ｃ１方向に基端１０ａから先端１０ｂの途中に向って縮径するテーパ管状のノズル接続部１１Ｅを有し、アタッチメント本体１０のノズル接続部１１Ｅの末端にはノズル接続部１１Ｅの中心軸線Ｃ１方向に先端１０ｂに向って縮径するテーパ管状のノズル部１２Ｅが連続して一体に形成され、アタッチメント本体１０のノズル部１２Ｅのテーパ角度は、ノズル接続部１１Ｅのテーパ角度と等しくなっている。
【００８５】
そして、図２６に示すブロワノズル用アタッチメントのノズル本体１の先端１ｂに形成した円形の圧縮空気噴射口１８Ｅは、金融端末５の内部に配設された被清掃対象物の微細な清掃箇所に対応するようになっている。
【００８６】
ブロワノズル用アタッチメント１のブロワノズル３のブロワノズル本体３０の先端部への接続は、ブロワノズル３のブロワノズル本体３０の先端部をブロワノズル用アタッチメント１のアタッチメント本体１０の基端１０ａに形成したノズル接続口１３Ｅからノズル接続部１１Ｅの内部に差し込むことにより、ブロワノズル用アタッチメント１のアタッチメント本体１０のノズル接続部１１Ｅがブロワノズル３のブロワノズル本体３０のテーパ管状部３２の先端部の外側に嵌合され、ブロワノズル用アタッチメント１のアタッチメント本体１０のノズル接続部１１Ｅの内周面１５Ｅとブロワノズル３のブロワノズル本体３０のテーパ管状部３２の先端部の外周面３７とが互いに密接し、ブロワノズル用アタッチメント１のアタッチメント本体１０の先端１０ｂに形成した圧縮空気噴射口１４Ｅがブロワノズル３のブロワノズル本体３０の先端３０ｂに形成した圧縮空気噴出口３４を介してブロワノズル本体３０の内部の排気通路３５と連通し、図２９に示すように、ブロワノズル用アタッチメント１のアタッチメント本体１０は、ブロワノズル３のブロワノズル本体３０のテーパ管状部３２の先端部に取付けられる。
【００８７】
本発明に係る第６実施例の電気掃除機のブロワノズル用アタッチメントの使用方法は、図１に示す本発明の第１実施例の電気掃除機のブロワノズル用アタッチメントと全く同様のため、説明を省略する。
【００８８】
なお、本発明の電気掃除機のブロワノズル用アタッチメントは、アタッチメント本体の先端の圧縮空気噴射口が、金融端末の内部の被清掃対象物の清掃箇所の形状に対応するように形成されており、ブロワノズル用アタッチメントを清掃しようとする被清掃対象物の清掃箇所の形状に合わせて自由に選択することが可能である。
【００８９】
また、本発明の電気掃除機のブロワノズル用アタッチメントを使用する金融端末としては、紙幣計算機，両替機，現金処理機，ＵＢＴ（銀行端末），各種出納機器，ＡＤＳ，手形・小切手読取識別装置，手形・小切手発行機，現金整理機，マイクロソータ，エンコーダ，テーラーズマシン，紙幣帯締機，オープン出納機，ＵＭ機器，オートキャッシャ，紙幣等収納機，貨幣・紙幣整理機，カード封緘機の台紙カッタなどが挙げられる。
【００９０】
さらに、本発明の電気掃除機のブロワノズル用アタッチメントは、金融端末以外の自動改札機や自動販売機やコピー，ファックス，プリンタ，複合機などの情報処理端末の内部の清掃に使用することも可能である。
【図面の簡単な説明】
【００９１】
【図１】本発明に係る第１実施例の電気掃除機のブロワノズル用アタッチメントを示す正断面図。
【図２】図１の左側面図。
【図３】図１の右側面図。
【図４】本発明に係る第１実施例の電気掃除機のブロワノズル用アタッチメントを取付けるブロワノズルを示す正断面図。
【図５】図４の左側面図。
【図６】図４の右側面図。
【図７】本発明に係る第１実施例の電気掃除機のブロワノズル用アタッチメントのブロワノズルへの取付け状態を示す正面図。
【図８】本発明に係る第１実施例の電気掃除機のブロワノズル用アタッチメントのブロワノズルの先端部への接続状態を示す要部拡大断面図。
【図９】本発明に係る第１実施例の電気掃除機のブロワノズル用アタッチメントの使用状態を示す概略斜視図。
【図１０】本発明に係る第２実施例の電気掃除機のブロワノズル用アタッチメントを示す正断面図。
【図１１】図１０の左側面図。
【図１２】図１０の右側面図。
【図１３】本発明に係る第２実施例の電気掃除機のブロワノズル用アタッチメントのブロワノズルの先端部への接続状態を示す要部拡大断面図。
【図１４】本発明に係る第３実施例の電気掃除機のブロワノズル用アタッチメントを示す正断面図。
【図１５】図１４の左側面図。
【図１６】図１４の右側面図。
【図１７】本発明に係る第３実施例の電気掃除機のブロワノズル用アタッチメントのブロワノズルの先端部への接続状態を示す要部拡大断面図。
【図１８】本発明に係る第４実施例の電気掃除機のブロワノズル用アタッチメントを示す正断面図。
【図１９】図１８の左側面図。
【図２０】図１８の右側面図。
【図２１】本発明に係る第４実施例の電気掃除機のブロワノズル用アタッチメントのブロワノズルの先端部への接続状態を示す要部拡大断面図。
【図２２】本発明に係る第５実施例の電気掃除機のブロワノズル用アタッチメントを示す正断面図。
【図２３】図２２の左側面図。
【図２４】図２２の右側面図。
【図２５】本発明に係る第５実施例の電気掃除機のブロワノズル用アタッチメントのブロワノズルの先端部への接続状態を示す要部拡大断面図。
【図２６】本発明に係る第６実施例の電気掃除機のブロワノズル用アタッチメントを示す正断面図。
【図２７】図２６の左側面図。
【図２８】図２６の右側面図。
【図２９】本発明に係る第６実施例の電気掃除機のブロワノズル用アタッチメントのブロワノズルの先端部への接続状態を示す要部拡大断面図。
【符号の説明】
【００９２】
１  ブロワノズル用アタッチメント
２  電気掃除機
３  ブロワノズル
４  ホース
４ａ  一端部
４ｂ  他端部
５  金融端末
６  スポットノズル
６ａ  基端部
６ｂ  先端部
１０  アタッチメント本体
１０ａ  基端
１０ｂ  先端
１１，１１Ａ，１１Ｂ，１１Ｃ，１１Ｄ，１１Ｅ  ノズル接続部
１２，１２Ａ，１２Ｂ，１２Ｃ，１２Ｄ，１２Ｅ  ノズル部
１３，１３Ａ，１３Ｂ，１３Ｃ，１３Ｄ，１３Ｅ  ノズル接続口
１４，１４Ａ，１４Ｂ，１４Ｃ，１４Ｄ，１４Ｅ  圧縮空気噴射口
１５，１５Ａ，１５Ｂ，１５Ｃ，１５Ｄ，１５Ｅ  内周面
１６  端壁
１７  中空テーパ部
１８  中空テーパ部
２０  掃除機本体
３０  ブロワノズル本体
３０ａ  基端
３０ｂ  先端
３１  直管部
３２  テーパ管状部
３３  スポットノズル接続口
３４  圧縮空気噴出口
３５  排気通路
３６  内周面
３７  外周面
６０  外周面
Ｃ１  中心軸線
Ｃ２  中心軸線
Ｃ３  中心軸線
Ｐ  保守作業員
θ  交差角度
【図１】
2005278899.tif 000003
【図２】
2005278899.tif 000004
【図３】
2005278899.tif 000005
【図４】
2005278899.tif 000006
【図５】
2005278899.tif 000007
【図６】
2005278899.tif 000008
【図７】
2005278899.tif 000009
【図８】
2005278899.tif 000010
【図９】
2005278899.tif 000011
【図１０】
2005278899.tif 000012
【図１１】
2005278899.tif 000013
【図１２】
2005278899.tif 000014
【図１３】
2005278899.tif 000015
【図１４】
2005278899.tif 000016
【図１５】
2005278899.tif 000017
【図１６】
2005278899.tif 000018
【図１７】
2005278899.tif 000019
【図１８】
2005278899.tif 000020
【図１９】
2005278899.tif 000021
【図２０】
2005278899.tif 000022
【図２１】
2005278899.tif 000023
【図２２】
2005278899.tif 000024
【図２３】
2005278899.tif 000025
【図２４】
2005278899.tif 000026
【図２５】
2005278899.tif 000027
【図２６】
2005278899.tif 000028
【図２７】
2005278899.tif 000029
【図２８】
2005278899.tif 000030
【図２９】
2005278899.tif 000031